(57)【要約】【課題】鉛筆の芯の先端を、マークシート方式の試験で使用するのに適した形状に整えることができ、かつ、マークシート方式の試験の便宜を図ることができる手動鉛筆削り器。【解決手段】手動鉛筆削り器10のケース本体20の表面には、鉛筆Ｐの先端を挿入する鉛筆挿入口41が開口しているとともに、楕円形状の辺縁を有する凹部50が設けられている。この凹部50の底面には、鉛筆Ｐの芯Ｌの先端を削るためのヤスリとなった芯削り部51が形成されている。【選択図】図１
2015083355.tif 000002
【特許請求の範囲】
【請求項１】
上部が開放した箱状体及び前記箱状体の開放端を着脱可能に被覆するとともにその天面が平面として形成されている被覆部を備えるケース本体と、
前記天面に開口し、鉛筆の先端が挿入される鉛筆挿入口と、
前記天面の前記鉛筆挿入口に対応した位置から下方へ前記箱状体内部へ突出する略円錐状の先端挿入部と、
前記先端挿入部の側面に上下方向に沿って設けられたスリットに沿って装着される切削刃と、
が設けられ、前記鉛筆挿入口から前記先端挿入部の内部に挿入された鉛筆が手動で回転されると、当該鉛筆の先端が前記切削刃で円錐状に切削される手動鉛筆削り器であって、
前記ケース本体の表面には、該表面を部分的に凹ませることで形成された凹部が設けられ、
前記凹部は、周縁の形状が楕円状に形成され、かつ、底面が平面とされ、
前記凹部の底面には、鉛筆の芯の先端を削るためのヤスリとなった芯削り部が形成されていることを特徴とする手動鉛筆削り器。
【請求項２】
前記凹部は、前記天面に設けられていることを特徴とする請求項１記載の手動鉛筆削り器。
【請求項３】
前記凹部の前記底面を取り囲む内周面は、該凹部の開口に向かって広がった傾斜面となっていることを特徴とする請求項１又は２記載の手動鉛筆削り器。
【請求項４】
前記被覆部に連結するとともに前記天面を開閉可能に覆う蓋部が備えられていることを特徴とする請求項１、２又は３記載の手動鉛筆削り器。
【請求項５】
請求項１、２、３又は４記載の手動鉛筆削り器と、
一側面に方向目印を備えるとともに前記芯を筆記体として備える筆記具と、
を組み合わせてなることを特徴とする手動鉛筆削り器セット。
【発明の詳細な説明】
【技術分野】
【０００１】
本発明は、鉛筆の芯の先端を、マークシート方式の試験で使用するのに適した形状に整える機能を有する手動鉛筆削り器及びこの手動鉛筆削り器と筆記具との組合せに関する。
【背景技術】
【０００２】
従来から、鉛筆の先端部分が内部に挿入された状態で、鉛筆を手動で回転させることにより、鉛筆の先端部分を円錐形に削り出す手動鉛筆削り器が利用されている。
一般的な手動鉛筆削り器は、内部に挿入された鉛筆の先端部分を切削する切削刃が、当該鉛筆に対して傾斜した姿勢で固定されている。このような切削刃に先端を当接させた状態で鉛筆を回転させることで、鉛筆の先端部分を円錐形に削り出すものとなっている。
【０００３】
このような手動鉛筆削り器で削られた円錐形の鉛筆の芯は先端が尖っているため、紙面に対して点接触となり、マークシートの回答欄のような一定の面積を塗りつぶすのには決して適しているとはいえない。、鉛筆の芯の先端を平面を塗りつぶすのにより適した平面状に形成したいときには、手動鉛筆削り器で削った鉛筆の芯の先端を、ナイフ等を利用して手作業で削る必要があるが、この作業は面倒である。
このため、下記の特許文献１のように、鉛筆の芯の先端が当接する位置に、当該芯の先端を半球状に削る芯先切削刃を、前述の切削刃とは別に設け、前述の切削刃で鉛筆の先端部分を削る際に、芯先切削刃で芯の先端をマイナスドライバー状に削る手動鉛筆削り器が開示されている。
【先行技術文献】
【特許文献】
【０００４】
【特許文献１】特開２００６−１９８９７０号公報
【発明の概要】
【発明が解決しようとする課題】
【０００５】
前述のように、芯の先端をマイナスドライバー状に削る手動鉛筆削り器は、鉛筆自体を円錐形に削る鉛筆削り器とは別体であるので、わざわざ２種類の鉛筆削り器を携行しなければならない。また、芯の切削自体も煩雑である。
さらに、マークシートの回答欄には、細長い長方形状や、単に欄内に一本線を引かせるものもありこのための芯を切削するには前記特許文献１記載の発明は適している。しかし昨今のマークシート式試験で採用されている回答欄は楕円形のものが圧倒的に多く、直線状の辺縁を有するように切削された芯ではかえって塗りつぶしにくいものである。
【０００６】
そこで、本発明は、、鉛筆の芯の先端を、マークシート方式の試験で使用するのに適した形状に整えることができ、かつ、マークシート方式の試験の便宜を図ることができる手動鉛筆削り器を提供することを課題とする。
【課題を解決するための手段】
【０００７】
本発明は、前述の目的を達成するためになされたものである。以下に、本発明の特徴点を、図面に示した発明の実施の形態を用いて説明する。
なお、符号は、発明の実施の形態において用いた符号を示し、本発明の技術的範囲を限定するものではない。
【０００８】
（第１発明）
（特徴点）
本願の第１発明は、次の点を特徴とする。
すなわち、本第１発明は、上部が開放した箱状体25及び前記箱状体25の開放端を着脱可能に被覆するとともにその天面40が平面として形成されている被覆部30を備えるケース本体20と、
前記天面40に開口し、鉛筆Ｐの先端が挿入される鉛筆挿入口41と、
前記天面40の前記鉛筆挿入口41に対応した位置から下方へ前記箱状体25内部へ突出する略円錐状の先端挿入部42と、
前記先端挿入部42の側面に上下方向に沿って設けられたスリット43に沿って装着される切削刃45と、
が設けられ、前記鉛筆挿入口41から前記先端挿入部42の内部に挿入された鉛筆Ｐが手動で回転されると、当該鉛筆Ｐの先端が前記切削刃45で円錐状に切削される手動鉛筆削り器10であって、
前記ケース本体20の表面には、該表面を部分的に凹ませることで形成された凹部50が設けられ、
前記凹部50は、周縁の形状が楕円状に形成され、かつ、底面が平面とされ、
前記凹部50の底面には、鉛筆Ｐの芯Ｌの先端を削るためのヤスリとなった芯削り部51が形成されていることを特徴とする。
【０００９】
（第２発明）
（特徴点）
本願の第２発明は、前述の第１発明において、次の特徴点を備えている。
本第２発明は、前記凹部50は、前記天面40に設けられていることを特徴とする。
【００１０】
（第３発明）
（特徴点）
本願の第３発明は、前述の第１又は第２発明において、次の特徴点を備えている。
本第３発明は、前記凹部50の前記底面を取り囲む内周面は、該凹部50の開口に向かって広がった傾斜面52となっていることを特徴とする。
【００１１】
（第４発明）
（特徴点）
本願の第４発明は、前述の第１、第２又は第３発明において、次の特徴点を備えている。
本第４発明は、前記被覆部30に連結するとともに前記天面40を開閉可能に覆う蓋部32が備えられている。
【００１２】
（第５発明）
（特徴点）
本願の第５発明に係る手動鉛筆削り器セットＳは、前述の第１、第２、第３又は第４発明に係る手動鉛筆削り器10と、
一側面に方向目印Ｍを備えるとともに前記芯Ｌを筆記体として備える筆記具Ｐと、
を組み合わせてなることを特徴とする。
なお、本第５発明における筆記具Ｐとは、通常はこの手動鉛筆削り器10で削ることの可能な鉛筆Ｐであるが、それ以外にも、たとえば鉛筆の芯と同程度の太さの替芯が装着可能で繰り出し可能に形成されている芯ホルダーも、本第５発明には使用可能である。
【発明の効果】
【００１３】
（第１発明の効果）
以上のように構成されている本発明は、次のような効果を奏するものである。
すなわち、第１発明によれば、鉛筆の先端部分を切削刃で円錐形状に削った後、ケース本体の表面に設けた凹部の芯削り部を利用して、当該鉛筆の芯の先端部分を削ることで、鉛筆の軸に対して傾斜した面を、芯の先端部分に形成することができる。
このため、芯の先端が紙面に面接触するので、描線が太くなる。これにより、マークシートの記入欄を短時間で塗りつぶすことができ、鉛筆の芯の先端をマークシート方式の試験で使用するのに適した形状に整えることができる。しかも、凹部の底面で芯を削るので、芯を削った削りカスが凹部の底面に留まり、周囲に飛散しないので、マークシートを汚すおそれがなく、従って、マークシート方式の試験の便宜を図ることができ、これにより、前記目的が達成される。
【００１４】
（第２発明の効果）
本発明の第２発明によれば、前述した第１発明の効果に加え、次のような効果を奏することができる。
すなわち、前記第１発明においては、前記凹部は前記ケース本体の表面であれば側面や底面等、その場所は限定されないものであった。しかし、本第２発明では、前記鉛筆挿入口とともに前記天面に設けられることとした。
こうすることで、削った直後の鉛筆を鉛筆挿入口から引き抜いてすぐ、その近傍である天面に位置する凹部で芯先の調整が可能となっている。
【００１５】
（第３発明の効果）
本発明の第３発明によれば、前述した第１又は第２発明の効果に加え、次のような効果を奏することができる。
本第３発明によれば、凹部の底面を取り囲む内周面を、当該凹部の開口に向かって広がった傾斜面とした。これにより、鉛筆の芯の先端を芯削り部で削る際、凹部の底面に対して鉛筆を容易に傾斜できる。したがって、鉛筆の軸に対して傾斜した面を、芯の先端部分に容易に形成することできる。これにより、芯を削る時間が短縮されるようになる。この点からも、マークシート方式の試験の便宜を図ることができる。
【００１６】
（第４発明の効果）
本発明の第４発明によれば、前述した第１、第２又は第３発明の効果に加え、次のような効果を奏することができる。
すなわち、本第４発明によれば、蓋部の閉鎖により鉛筆挿入口からの削り屑の散乱を防ぐことができる。特に、前記天面に前記凹部も設けられている場合には、この単一の蓋部の開閉により鉛筆挿入口及び凹部の両方を同時に開閉することができる。これにより、蓋部の開放により鉛筆挿入口及び凹部の両方を同時に使用できるとともに、蓋部の閉鎖により鉛筆挿入口からの削り屑や凹部からの芯の削り粉の散乱を防ぐことができる。
【００１７】
（第５発明の効果）
本発明の第５発明によれば、前述した第１、第２、第３又は第４発明の効果に加え、次のような効果を奏することができる。
すなわち、本第５発明によれば、鉛筆等の筆記具の芯を削る際、その筆記具の一側面に方向目印が付されているので、どのような方向で芯を削ったかが使用者に一目でわかるようになっている。これにより、筆記具の方向を誤って、鋭い辺縁を紙面に当てないよう注意を喚起することができる。
【００１８】
（その他）
上記記載のとおり、本発明はマークシート試験におけるマークシートの塗りつぶしに特に適しているが、用途はこれに限られず、マークシート方式の注文書や、くじなどにも適しているものである。
【図面の簡単な説明】
【００１９】
【図１】本発明の一実施形態に係る手動鉛筆削り器を示す斜視図である。
【図２】前記実施形態に係る凹部を示す平面図である。
【図３】図２におけるＢ−Ｂ断面図である。
【図４】本発明の一実施形態に係る手動鉛筆削り器セットに試用される筆記具を表す斜視図である。
【発明を実施するための形態】
【００２０】
以下に、本発明を実施するための形態である一実施形態について、図面を参照しながら説明する。なお、本実施形態においては、手動鉛筆削り器10に挿入される鉛筆の先端側を「下」とし、その反対側を「上」とする。
図１の斜視図に示すように、本実施形態に係る手動鉛筆削り器10は、上面が開放した箱状を呈する透明プラスチック製の箱状体25の上部の開放端を、下面が開放した略箱状の被覆部30が被覆する構造となっている。この箱状体25及び被覆部30を合わせてケース本体20と称する。被覆部30の一側面には、蝶番部31を介して蓋部32が一体に形成されている。蓋部32は被覆部30上面に位置する天面40を開閉可能に覆うものである。
【００２１】
天面40には円形の鉛筆挿入口41が開口している。この鉛筆挿入口41から、天面40の下方から箱状体25内部に向かって略円錐状の先端挿入部42が突設されている。この先端挿入部42の側面には、上下方向に沿ってスリット43が設けられてる。このスリット43の近傍に略長方形状の刃取付部44が連設されている。この刃取付部44には、切削刃45が取付ネジ46を用いて取り付けられる。切削刃45の刃の部分は前記スリット43に面している。
この鉛筆挿入口41から鉛筆Ｐの先端を先端挿入部42に挿入し、これを図中で右回りに回転させると、スリット43の部分で切削刃45に当接し、これにより鉛筆Ｐの先端が円錐状に切削される。このとき生じた削り屑は、スリット43の外側からケース本体20内部に蓄積される。蓄積された削り屑は、被覆部30を箱状体25から取り外した状態で廃棄することができる。
【００２２】
そして、天面40にはさらに、図２に示すような平面視楕円形状の凹部50が形成されている。この楕円形状は、マークシートの解答欄に採用されることの多い楕円形状とほぼ同じ形状及び大きさである。凹部50の底面には紙やすりが装着されこれが芯削り部51となっている。凹部50の底面周囲は上方に向かって広がった傾斜面52となっている。なお、この芯削り部51は、紙やすり以外にも、たとえば表面を梨地加工したプラスチックや金属で形成することも可能である。
図２のＢ−Ｂ断面である図３に示すように、鉛筆Ｐの芯Ｌを芯削り部51で削る際、傾斜面52があることで鉛筆Ｐを傾けることが容易である。このように削ることで、芯Ｌの辺縁を凹部50の楕円弧に近い形状に整えることができる。これによりこの芯Ｌでマークシートの回答欄の辺縁に合わせて塗りつぶしやすくなっている。
【００２３】
図１に戻り、蓋部32を蝶番部31を軸として回動させることで、天面40を覆うことができ、同時に鉛筆挿入口41及び凹部50も覆い隠されることになる。これにより、芯削り部51で芯Ｌを削ったあとの芯Ｌの削り粉や、ケース本体20内部の鉛筆Ｐの削り屑が周囲に飛散することを防止することができる。
【００２４】
本発明に係る手動鉛筆削り器10は、鉛筆Ｐのような芯Ｌを備えた筆記具Ｐと組み合わせて手動鉛筆削り器セットＳとすることもできる。この筆記具Ｐの一側面には、図４に示すように、他の側面とは区別可能な方向目印Ｍが設けられている。これにより、芯削り部51で削る際の筆記具Ｐの方向が使用者に認識可能となっており、削った面を確実に紙面に当てるとともに、鋭い辺縁を紙面に当てないように注意を喚起することが可能となっている。なお、図４では方向目印Ｍとして模様が描かれているが、もちろんこれに限られず、文字、記号、線、刻印等、他の面との識別が可能となるようなものであれば方向目印Ｍとして採用することができる。
【産業上の利用可能性】
【００２５】
本発明は、手動で鉛筆を削るための鉛筆削り器に利用することができる。
【符号の説明】
【００２６】
10  手動鉛筆削り器
20  ケース本体            25  箱状体
30  被覆部                31  蝶番部                32  蓋部
40  天面                  41  鉛筆挿入口            42  先端挿入部
43  スリット              44  刃取付部              45  切削刃
46  取付ネジ
50  凹部                  51  芯削り部              52  傾斜面
Ｐ  鉛筆（筆記具）        Ｌ  芯                    Ｍ  方向目印
Ｓ  手動鉛筆削り器セット
【図１】
2015083355.tif 000003
【図２】
2015083355.tif 000004
【図３】
2015083355.tif 000005
【図４】
2015083355.tif 000006